(57)【要約】【課題】複数の操作ペダルを同時に車両の前後方向に移動調整できる車両用ペダル装置において、ペダルのフロアからの高さを一定に保つことができ、ペダルの位置が移動してもペダルレシオが変わらないようにする。【解決手段】複数のペダルを取付けたペダルアッセンブリ４をブラケット１に前後方向に平行移動可能なるよう組み付け、ブレーキペダル４３に連結軸７２ａにて連結された連動リンク７と車体に回動可能に取付けたレバー６とを連結する連結軸６１ａを連動リンク７のスリット７１ａに嵌挿し、モータユニット２の駆動にてペダルアッセンブリ４を前後方向に平行移動させるねじ軸２２とナット状の移動部材２４とＸアーム機構３とを設けると共に、ペダルアッセンブリ４の前後方向移動にほぼ同期して連動リンク７を前後方向に移動させる回転伝達用の回転ケーブル２３とねじ送り機構８とを設けた。【選択図】  図１
2004224190.tif 000002
【特許請求の範囲】
【請求項１】
車体に取付固定されるブラケットと、ペダル保持部材に複数のペダルを回動可能に取付けたペダルアッセンブリと、該ペダルアッセンブリに取付けた複数のペダルのなかの少なくともブレーキペダルと車体に回動可能に取付けたブレーキ操作用のレバーとを連結する連動リンクと、上記ペダルアッセンブリと連動リンクとを前後方向に駆動するモータユニットとからなり、上記ペダルアッセンブリは上記ブラケットに前後方向に平行移動可能なるよう組み付けられ、上記連動リンクと上記レバーとを連結する連結軸は上記連動リンクに対し相対的に前後方向に移動可能であり、上記モータユニットの駆動にてペダルアッセンブリを前後方向に平行移動させる第１の移動手段と、該第１の移動手段によるペダルアッセンブリの前後方向移動にほぼ同期して上記連動リンクを上記レバーに対して前後方向に移動させる第２の移動手段とを設けたことを特徴とする車両用ペダル装置。
【請求項２】
請求項１に記載の車両用ペダル装置において、第１の移動手段は、モータユニットの駆動源の駆動にて回転駆動する前後方向配置のねじ軸と該ねじ軸に螺合されペダルアッセンブリのペダル保持部材に軸結合されたナット状の移動部材とからなるねじ送り機構と、該ねじ送り機構の作動に伴ないペダルアッセンブリを前後に平行移動させるＸアーム機構とから構成されていることを特徴とする車両用ペダル装置。
【請求項３】
請求項１又は２に記載の車両用ペダル装置において、第２の移動手段は、連動リンクに前後方向に向けて配設されたねじ棒と該ねじ棒に螺合されたナット部材とからなるねじ送り機構と、モータユニットの駆動源の回転駆動を上記ねじ棒に伝達してねじ棒を回転させる回転ケーブルとから構成され、上記ねじ送り機構のナット部材には上記レバーに固定された連動リンクとの連結用の連結軸が一体的に結合され、該連結軸は連動リンクに設けた前後方向スリットにスライド可能に嵌挿され、上記駆動源の回転駆動にてねじ棒が回転することにより、ねじ棒及び該ねじ棒を取付けた連動リンクが相対的に前後方向に移動するようになっていることを特徴とする車両用ペダル装置。
【発明の詳細な説明】
【０００１】
【発明の属する技術分野】
本発明は、ブレーキペダルやアクセルペダル等の車両用ペダル装置であって、例えばドライバの体格や好みに応じてペダルの踏部を車両の前後方向に移動調整できるペダル装置に関するものである。
【０００２】
【従来の技術】
ブレーキペダルやアクセルペダル等の複数の操作ペダルを同時に車両の前後方向に移動させることのできる車両用ペダル装置において、ペダル踏点を前後に移動させる手段として、従来は、２本の操作ペダルをそれぞれ車両前後方向に向けて配設された一対のねじ軸に取付け、該一対の目時軸を回転駆動することにより２本の操作ペダルを同時に前後移動させる装置が開発されている（例えば、特許文献１参照）。
【０００３】
また、リンク機構によって操作ペダルを車両前後方向に移動させる装置も、従来より公開されている（例えば、特許文献２参照）。
【０００４】
【特許文献１】
米国特許第３６４３５２５号公報
【特許文献２】
特開２００１−２７８０１７号公報
【発明が解決しようとする課題】
上記特許文献１のように、２本の操作ペダルをそれぞれ前後方向のねじ軸に取付け、その一対のねじ軸を回転させて操作ペダルを前後移動させるものは、ペダル操作感を一定に保つためのペダルレシオが操作ペダルの前後移動によって変動し、ペダル操作感が変化する、という課題を有している。
特許文献２のものは、上記特許文献１のペダルレシオの変動という課題を解決するものであるが、リンク機構を用いたことにより移動軌跡が円弧状となり、移動量によっては踵を置くフロア面からペダルの踏点までの高さが変化し、車載レイアウト上および操作感の上で好ましくない、という課題を有している。
【０００５】
尚、前記特許文献２に開示された発明では、踏点移動として、運転者に近くなる後側移動端で踏点のフロア面からの高さが最も低くなるよう設定されていることを特徴の一つとしているが、これでは車載スペースと前後方向移動量の関係上設定が非常に難しくなる。
【０００６】
本発明は上記のような従来の課題を解決することを目的とするものである。
【０００７】
【課題を解決するための手段】
本発明は、車体に取付固定されるブラケットと、ペダル保持部材に複数のペダルを回動可能に取付けたペダルアッセンブリと、該ペダルアッセンブリに取付けた複数のペダルのなかの少なくともブレーキペダルと車体に回動可能に取付けたブレーキ操作用のレバーとを連結する連動リンクと、上記ペダルアッセンブリと連動リンクとを前後方向に駆動するモータユニットとからなり、上記ペダルアッセンブリは上記ブラケットに前後方向に平行移動可能なるよう組み付けられ、上記連動リンクと上記レバーとを連結する連結軸は上記連動リンクに対し相対的に前後方向に移動可能であり、上記モータユニットの駆動にてペダルアッセンブリを前後方向に平行移動させる例えばねじ送り機構と平行移動用のＸアーム機構とからなる第１の移動手段と、該第１の移動手段によるペダルアッセンブリの前後方向移動にほぼ同期して上記連動リンクを上記レバーに対して前後方向に移動させる例えば回転伝達用のフレキシブルな回転ケーブルと該回転ケーブルにて回転作動するねじ送り機構とからなる第２の移動手段とを設けたことを特徴とするものである。
【０００８】
上記の構成により、複数の操作ペダルを同時に車両の前後方向に移動させることのできる車両用ペダル装置において、ペダルのフロアからの高さを一定に保つことができ、また必要に応じてペダルのフロアからの高さを運転者に近づくに従って低くしたり或は高くしたりするよう設定することも容易に可能である。又、ペダルの前後方向移動調整量を従来のものより長くすることも可能である。
【０００９】
更にまた、ペダルの位置が移動してもペダルレシオは不変であり、ペダル操作感を常にほぼ一定に保つことができるものである。
【００１０】
【発明の実施の形態】
以下、本発明の実施の形態に付き、図面を参照して説明する。
【００１１】
付図は本発明の一実施例を示すもので、図１〜３において、１は車体の縦壁面に取付固定されるブラケットであり、該ブラケット１にはモータユニット２とＸアーム機構３とペダルアッセンブリ４とが組付けられる。
【００１２】
モータユニット２はモータ，減速機等の駆動源２１と該駆動源２１によってそれぞれ回転駆動されるねじ軸２２及び回転伝達用のフレキシブルな回転ケーブル２３とからなり、ブラケット１の上面前部に上記ねじ軸２２が車体前後方向を向くよう組付けられる。上記ねじ軸２２にはナット状をなす移動部材２４が螺合している。
【００１３】
Ｘアーム機構３は、アームＡ３１とアームＢ３２とを中央部で支持軸３３にて回動可能に軸着してＸアーム形状としたものを左右一対構成し、その左右一対のＸアーム形状のものの一方のアーム同士，例えば左右のアームＡ同士を連結部材３４にて結合した構成となっている。そして、左右のアームＡ３１の上部を支持軸３１ａにてブラケット１の左右の側壁上部に回動可能に取付け、左右のアームＢ３２の上部を連結軸３２ａにてブラケット１の側壁上部に設けた車体前後方向のスリット１１にスライド可能に嵌装すると共に、該左右のアーム部Ｂ３２の下部を連結軸３２ｂにてブラケット１側壁下部に設けた上下方向のスリット１２にスライド可能に嵌装して組付けられる。
上記左右のアームＢ３２の上部を連結し前後方向スリット１１にスライド可能に嵌装する連結軸３２ａは、上記ナット部材２３に連結され、駆動源２１の駆動にてねじ軸２２が回転駆動すると移動部材２４が前後方向にねじ送りされ、それによって左右のアームＢ３２上部の連結軸３２ａが前後方向スリット１１内を前後方向に移動して、Ｘアーム機構３の各アームを支持軸３１ａ及び３３まわりに回動させ、連結軸３２ｂを上下方向スリット１２内にて上下スライド移動させるよう構成される。
【００１４】
ペダルアッセンブリ４は、ペダル保持部材４１と、該ペダル保持部材４１に支持軸４２により回動可能に取付けられた第１のペダルであるブレーキペダル４３と、従来より公知の手段（図示省略）にてペダル保持部材４１に回動操作可能に取付けられた第２のペダルであるアクセルペダル４４とからなる。
【００１５】
そして、ペダル保持部材４１の前方上部には前記連結軸３２ａが嵌挿し、ペダル保持部材４１の前方下部に設けた上下方向のスリット４１ａには左右のアームＡ３１の下部を連結する連結軸３１ｂがスライド可能に嵌挿し、移動部材２４の前後方向移動とそれに伴なうＸアーム機構３の各アームの回動によって、ペダル保持部材４１がブレーキペダル４３及びアクセルペダル４４を支持した状態のままで前後方向に平行移動するようになっている。
【００１６】
すなわち、ねじ軸２２とそれに螺合するナット状の移動部材２４とからなるねじ送り機構と、Ｘアーム機構３とから構成される第１の移動手段によって、ペダルアッセンブリ４を前後方向に平行移動させることができる。
【００１７】
図において、５は前記ブラケット１の一側方において車体の縦壁面に取付固定されるレバー支持部材であり、該レバー支持部材５にほぼＬ字形をなすレバー６が支持軸６３によって回動可能に取付けられる。
【００１８】
７は連動リンクであり、該連動リンク７は前後方向に延びる本体部７１とその中央部付近から下方に延びるリンク部７２とをもった側面視でほぼＴ字型をなす部材であり、左右の両側面と上面とを有している。本体部７１の両側面には前後方向のスリット７１ａが設けられ、該スリット７１ａには前記レバー６の一方の腕部６１先端に連結される連結軸６１ａがスライド可能に嵌挿される。リンク部７２の下部は連結軸７２ａにてブレーキペダル４３のアーム部４３ａに連結される。尚、上記レバー６の他方の腕部６２の先端部はブレーキ操作部材９に連結される。
【００１９】
また、本体部７１の左右両側面と上面にて囲まれた内部にはねじ棒８１とナット部材８２とからなるねじ送り機構８が内装されている。すなわち、ねじ棒８１は本体部７１内に回転可能で前後方向には移動できないよう前後方向に向けて取付けられ、該ねじ棒８１に螺合したナット部材８２は回転方向には固定で前後方向にはスライド可能なるよう本体部７１内に配置され、前記連結軸６１ａに該ナット部材８２は一体的に結合されている。そして、前述したモータユニット２の回転ケーブル２３の後端部分がねじ棒８１の後端部分に歯車連結され、回転ケーブル２３の回転駆動にてねじ棒８１が回転し、ナット部材８２をねじ送りしようとするが、レバー支持部材５に軸支持されたレバー６の一方の腕部６１先端の連結軸６１ａは前後方向に移動できないので、相対的にねじ棒８１を介して連動リンク７を前後方向に移動させるようになっている。図において、８３は、回転ケーブル２３の回転をねじ棒８１に伝達するための歯車機構を内蔵したギヤボックスである。
【００２０】
つまり、回転伝達用の回転ケーブル２３と、ねじ棒８１とナット部材８２とからなるねじ送り機構とから構成した第２の移動手段によって、前記第１の移動手段によるペダルアッセンブリ４の前後方向平行移動にほぼ同期して、連動リンク７が前後方向に移動するようになっている。
【００２１】
次に、上記構成の具体的作動に付いて説明する。
【００２２】
図１（Ａ）はペダル装置が最も車体前方に位置した状態を示している。この状態では、移動部材２４は最前方に位置し、連結軸３２ａは前後方向スリット１１の前端に、連結軸３２ｂは上下方向スリット１２の下端に、連結軸３１ｂはペダル保持部材４１の上下方向スリット４１ａの下端にそれぞれ位置し、且つレバー６の腕部６１先端の連結軸６１ａは連動リンク７の前後方向スリット７１ａの後端に位置している。
【００２３】
この最前方状態から図示しないペダル位置調整用のスイッチを後方移動方向にオン操作すると、駆動源２１が一方向に回転駆動し、ねじ軸２２の回転によって移動部材２４が後方へねじ送りされ、Ｘアーム機構３の各アームが回動し連結軸３２ａ及び３１ｂを介してペダルアッセンブリ４を後方へ向けて平行移動させると共に、回転ケーブル２３の回転にてねじ送り機構８が作動し、上記ペダルアッセンブリ４の後方移動に同期して連動リンク７が後方に移動し、図１（Ｂ）に示すように、連結軸３２ａは前後方向スリット１１の後端近傍に、連結軸３２ｂは上下方向スリット１２の上端近傍に、連結軸３１ｂはペダル保持部材４１の上下方向スリット４１ａの上端近傍にそれぞれ位置し、レバー６の一方の腕部６１先端の連結軸６１ａが連動リンク７の前後方向スリット７１ａの前端近傍に位置するペダル装置最後方位置となって、そこで駆動源の駆動は停止する。
【００２４】
上記作動において、ペダル保持部材４１は、その上部をブラケット１の前後方向スリット１１にガイドされ、下部をＸアーム機構３の回動作動で支持されて直線状に移動するので、ブラケット１の前後方向スリット１１とそれに平行なねじ軸２２が車両のフロア面と平行となるよう設定することで、ペダル装置の移動軌跡はフロア面と平行となり、ペダル踏点のフロアからの高さを一定に保つことができる。また、ブラケット１の車体への取付け姿勢を変えることによって、つまり前後方向スリット１１とそれに平行なねじ軸２２がフロア面に対し傾斜した姿勢でブラケット１を車体に取付けることにより、ペダル踏点を運転者に近づくに従って低くしたり或は高くするよう設定することも可能である。更に、上記のように、ペダル装置の移動がねじ送りとＸアーム機構とによる直線的な移動であるので、従来のリンクの回動によるものより、移動量を大きく設定することが可能となる。
【００２５】
最後方位置からペダル位置調整用スイッチを前方移動方向にオン操作すると、駆動源２１は前記とは逆方向に回転駆動し、移動部材２４及び連動リンク７が前記後方移動時とは逆に前方に移動し、図１（Ａ）に示す最前方位置となって停止する。
【００２６】
上記後方への移動または前方への移動の途中で、ペダル位置調整用のスイッチをオフとすれば駆動源は停止し、ペダルアッセンブリ４及び連動リンク７の移動は停止する。このようにして、ペダル装置の位置を最前方位置と最後方位置との間の任意の位置に調整することができる。
【００２７】
上記において、図４（Ａ）に示す状態からブレーキペダル４３を踏み込むと、図４（Ｂ）に示すように、ブレーキペダル４３のアーム部４３ａは下向きに回動し、連結軸７２ａを介して連動リンク７を下方へ引き下げる。それによって、前後方向スリット７１ａに嵌挿されている連結軸６１ａを介してレバー６の一方の腕部６１を引き下げ、レバー６は支持軸６３まわりに図において時計方向に回動し、レバー６の他方の腕部６２に連結されているブレーキ操作部材９を介して図示しないブレーキ装置を作動させる。
【００２８】
上記ブレーキペダル４３の踏込みにてアーム部４３ａが連結軸７２ａを下方へ引き下げたとき、連動リンク７は連結軸６１ａまわりに回動（時計方向に回動）しようとするが、ブレーキペダル４３の回動中心（支持軸４２）を中心とした連結軸７２ａの回動軌跡αに対し連結軸６１ａを中心とした連結軸７２ａの回動軌跡βがずれており、且つ連結軸６１ａは連動リンク７に対して固定状態であるから、連動リンク７は連結軸６１ａまわりに回動することはできない。従って、アーム部４３ａの下向き回動により、連動リンク７は、図４（Ｂ）に示すように、下方へほぼ平行移動し、連結軸６１ａを介してレバー６を回動させ、ブレーキ装置を作動させるものである。
【００２９】
このブレーキペダル踏込み操作では、ペダル位置が前方であっても後方であっても、単に連動リンク７を下方へ引き下げる操作となるので、ペダルレシオは不変であり、ペダルの踏込み操作感がほぼ一定に保持される。
【００３０】
尚、アクセルペダル４４については、踏込み操作はケーブルを介して伝達されるか、或は踏込み量（踏込み角度）を電気的に検出しその電気的信号によって供給燃料制御を行う方式のものが一般的であるので、アクセルペダル４４の前後位置が変わっても操作系統に問題が生じることはない。
【００３１】
上記ブレーキペダル４３，アクセルペダル４４の他にクラッチペダルを装備した車両の場合には、該クラッチペダルの前後方向移動調整機構として、前記ブレーキペダルの場合と全く同じ構造のものを追加することで容易に対応できる。
【００３２】
【発明の効果】
以上のように本発明によれば、ブレーキペダルやアクセルペダル等の複数の操作ペダルを同時に車両の前後方向に移動させることのできる車両用ペダル装置において、ペダルのフロアからの高さを一定に保つことができ、また必要に応じてペダルのフロアからの高さを運転者に近づくに従って低くしたり或は高くしたりするよう設定することも容易に可能である。ペダルの前後方向移動調整量を従来のものより長くすることも可能である。
【００３３】
更にまた、ペダルの位置が移動してもペダルレシオは不変であり、ペダル操作感を常にほぼ一定に保つことができるもので、装置全体が小型，コンパクトで比較的安価であり、且つ車体への取付け作業が容易であることと相俟って、実用上多大の効果をもたらし得るものである。
【図面の簡単な説明】
【図１】本発明の一実施例を示すもので、（Ａ）は最前方位置にあるペダル装置の側面図、（Ｂ）は最後方位置にあるペダル装置の側面図、（Ｃ）は（Ｂ）のＣ−Ｃ部断面図である。
【図２】図１に示すペダル装置の外観斜視図である。
【図３】図１に示すペダル装置の分解斜視図である。
【図４】ブレーキ操作状態を説明する側面図で、（Ａ）はブレーキペダルを踏んでいない状態、（Ｂ）はブレーキペダルを踏み込んだ状態をそれぞれ示している。
【符号の説明】
１        ブラケット
２        モータユニット
３        Ｘアーム機構
４        ペダルアッセンブリ
５        レバー支持部材
６        レバー
７        連動リンク
８        ねじ送り機構
９        ブレーキ操作部材
２１      駆動源
２２      ねじ軸
２３      回転ケーブル
２４      移動部材
４１      ペダル保持部材
４２      支持軸
４３      ブレーキペダル
４４      アクセルペダル
６１ａ    連結軸
７１ａ    前後方向スリット
７２ａ    連結軸
８１      ねじ棒
８２      ナット部材
【図１】
2004224190.tif 000003
【図２】
2004224190.tif 000004
【図３】
2004224190.tif 000005
【図４】
2004224190.tif 000006